(57)【要約】【課題】シールドプレートをボスに安定して固定できる取り付け構造を提供することを目的とする。【解決手段】シールドプレート５を取り付ける取り付け構造において、ボス１９、２０の先端面に軸方向に延びるネジ孔１９Ａ、２０Ａを備え、前記シールドプレート５にボス１９、２０に係合する耳片を設け、この耳片が一対の耳片部を有し、一方の耳片部２２Ｂ、２３Ｂにはボス１９、２０が嵌合する位置決め孔２７を設け、他方の耳片部２２Ａ、２３Ａはボス嵌合時にボス１９、２０の端面に当たり、ボス１９、２０のネジ孔１９Ａ、２０Ａを露出させる取り付け孔２５を備え、前記ボス１９、２０の先端面のネジ孔１９Ａ、２０Ａと、一方の耳片部の位置決め孔２７と、他方の耳片部の取り付け孔２５が同心上に配置される。【選択図】図１
2015138814.tif 000002
【特許請求の範囲】
【請求項１】
シールドプレートを取り付ける取り付け構造において、
ボスの先端面に軸方向に延びるネジ孔を備え、
前記シールドプレートにボスに係合する耳片を設け、この耳片が一対の耳片部を有し、一方の耳片部にはボスが嵌合する位置決め孔を設け、他方の耳片部はボス嵌合時にボスの端面に当たり、ボスのネジ孔を露出させる取り付け孔を備え、
前記ボスの先端面のネジ孔と、一方の耳片部の位置決め孔と、他方の耳片部の取り付け孔とが同心上に配置されている、
ことを特徴とするシールドプレート取り付け構造。
【請求項２】
前記ボスを複数備え、ボスに対応させて前記耳片を複数設けたことを特徴とする請求項１に記載のシールドプレート取り付け構造。
【請求項３】
前記シールドプレートが枠部と、起立部とを有し、この起立部に前記一対の耳片が配置され、前記枠部にピンに嵌るピン孔が設けられていることを特徴とする請求項１又は２に記載のシールドプレート取り付け構造。
【請求項４】
前記シールドプレートに基板が重ねられ、この基板と、前記シールドプレートとが、前記ボスのネジ孔に共締めされていることを特徴とする請求項１乃至３の何れか一項に記載のシールドプレート取り付け構造。
【請求項５】
前記ボスがエスカッションの裏面に配置されていることを特徴とする請求項１乃至４の何れか一項に記載のシールドプレート取り付け構造。
【発明の詳細な説明】
【技術分野】
【０００１】
本発明は、シールドプレートの固定構造に係り、例えば、車載用オーディオ機器内部において、シールドプレートを固定する構造に関する。
【背景技術】
【０００２】
一般に、車載用オーディオ機器等は、樹脂製のエスカッションを備えている。エスカッションには蛍光表示管が設けられ、蛍光表示管は基板に接続されている。
蛍光表示管の周りには、外部から静電気を筐体や基板へと導く、金属製のシールドプレートが配置されている。シールドプレートは基板と共に、樹脂製のエスカッションに一体に設けたボスに固定されている（特許文献１参照。）。
【先行技術文献】
【特許文献】
【０００３】
【特許文献１】特開２０１３-００４５３６号公報
【発明の概要】
【発明が解決しようとする課題】
【０００４】
しかしながら、ボスとシールドプレートの固定部分と、シールドプレートと基板の固定部分が異なる場所に設置されていると、ボスとシールドプレートと基板とを固定する場合、三者間にずれが生じうる。また、エスカッションに一体に設けたボスとシールドプレートを固定する場合にも、固定の際に微作動があるなど、シールドプレートを安定して固定することが困難であった。
本発明は、上述した事情に鑑みてなされたものであり、シールドプレートをボスに安定して固定できる取り付け構造を提供することを目的とする。
【課題を解決するための手段】
【０００５】
本発明は、シールドプレートを取り付ける取り付け構造において、ボスの先端面に軸方向に延びるネジ孔を備え、前記シールドプレートにボスに係合する耳片を設け、この耳片が一対の耳片部を有し、一方の耳片部にはボスが嵌合する位置決め孔を設け、他方の耳片部はボス嵌合時にボスの端面に当たり、ボスのネジ孔を露出させる取り付け孔を備え、前記ボスの先端面のネジ孔と、一方の耳片部の位置決め孔と、他方の耳片部の取り付け孔とが同心上に配置されている、ことを特徴とする。
【０００６】
本発明では、一方の耳片部の位置決め孔に、ボスの外周を嵌合させ、この状態でシールドプレートを押し込むと、ボスの先端面に、他方の耳片部が当たる。他方の耳片部の孔の径の中には、ボスのネジ孔が露出する。このネジ孔にビスがねじ込まれて、シールドプレートが、ボスに位置決めされた状態で一体的に固定される。
【０００７】
前記ボスを複数備え、ボスに対応させて前記耳片を複数設けてもよい。
この構成では、複数のボスによりシールドプレートが位置決めされるため、シールドプレートが面内で回転することがない。
前記シールドプレートが枠部と、起立部とを有し、この起立部に前記一対の耳片が配置され、前記枠部にピンに嵌るピン孔が設けられていてもよい。
この構成では、シールドプレートがボスで位置決めされるため、このボスがガイドとなってピン孔に精度よくピンが嵌合される。
前記シールドプレートに基板が重ねられ、この基板と、前記シールドプレートとが、前記ボスのネジ孔に共締めされていてもよい。
前記ボスがエスカッションの裏面に配置されていてもよい。
【発明の効果】
【０００８】
本発明によれば、ボスとシールドプレートを一箇所で固定するため、ボスとシールドプレート間のずれを防止でき、組み付け精度が上がる。
また、シールドプレートに設けられた各耳片部の孔と、ボスの中心軸が一致する構造において、複数の孔がボスに嵌め込まれるため、ボスと耳片の嵌合が容易であり、嵌合後は安定して固定できる。
【図面の簡単な説明】
【０００９】
【図１】本実施の形態に係るエスカッション組立体の分解斜視図である。
【図２】本実施の形態に係るエスカッションの正面図である。
【図３】Ａは、エスカッションの背面図、Ｂは、ＡのＡ-Ａ断面図である。
【図４】本実施の形態に係るシールドプレートを示し、Ａは、上面図、Ｂは、Ａの右側面図、Ｃは、Ａの左側面図、Ｄは、下面図である。
【発明を実施するための形態】
【００１０】
以下、図面を参照して本発明の一実施の形態について説明する。
図１は、本実施の形態に係るシールドプレート固定構造が適用されるエスカッション組立体の分解斜視図である。
１は樹脂製のエスカッションを示す。
このエスカッション１を含む組立体は、エスカッション１の他に、蛍光表示管カバー３と、シールドプレート５と、蛍光表示管７と、基板９とを備えて構成される。蛍光表示管カバー３とシールドプレート５は、エスカッション１の表示窓１Ａに配置される。蛍光表示管７は、基板９に実装され、この基板９と、シールドプレート５とが、エスカッション１にビス６によって、共締めされる。
【００１１】
図２は、エスカッション１の正面図である。
エスカッション１の中央上段には、上記表示窓１Ａが開口している。
エスカッション１の中央下段には、ボリューム調整部１１が配置され、表示窓１Ａ及びボリューム調整部１１を挟んで、エスカッション１の両側には略Ｖ字状に各種の操作ボタン１３が配置されている。
【００１２】
図３Ａは、エスカッション１の背面図である。図３及び図１を参照し、エスカッション１の背面には、操作ボタン１３の操作子１３Ａが露出し、何れかの操作ボタン１３が押されると、操作子１３Ａが基板９に設けた接点（不図示）に接触し、何れかの操作ボタン１３に対応した制御が実行される。
エスカッション１の中央は、操作子１３Ａの配置の部位よりも一段低くなった部位Ａが形成され、その境界にリブ１５が形成されている。
【００１３】
図１を参照すると、表示窓１Ａの周辺部には、リブ枠１６が配置され、このリブ枠１６には、４つのネジ孔１７（１７Ａ〜１７Ｄ）が形成されている。ネジ孔１７Ａ、１７Ｂの両側には、ピン１８が配置され、このピン１８は、シールドプレート５のピン孔５Ｍに嵌合し、シールドプレート５の前縁５Ｘが位置決めされる。
また、表示窓１Ａとボリューム調整部１１の間には、上記一段低くなった部位Ａから突出する一対のボス１９、２０が形成されている。ボス１９、２０の先端には、軸方向に延びるネジ孔１９Ａ、２０Ａが形成されている。
【００１４】
蛍光表示管カバー３は、図１に示すように、上記リブ枠１６に当接し、蛍光表示管カバー３に重ねてシールドプレート５が配置される。
シールドプレート５には、表示窓１Ａの大きさよりも若干大きい開口５Ａが形成されている。シールドプレート５は、図１及び図４に示すように、開口５Ａを囲う枠部５Ｂと、枠部５Ｂに直交して曲げられた起立部５Ｃと、起立部５Ｃに横方向に間隔をあけて配置された一対の耳片２２、２３とを備えて構成される。
【００１５】
つぎに、耳片２２、２３について説明する。
図１及び図４を参照すると、各耳片２２、２３は、図４Ｂ、図４Ｃに示すように、上下二段の耳片部で構成される。上部（基板側）に位置する耳片部２２Ａ、２３Ａには、小さな孔（取り付け孔）２５が形成され、下部（表示窓側）に位置する耳片部２２Ｂ、２３Ｂには、大きな孔（位置決め孔）２７が形成されている。下部の耳片部２２Ｂ、２３Ｂの孔２７は、図４Ｄに示すように、ボス１９、２０の外径よりも若干大きく形成され、この孔２７には、ボス１９、２０の外周が嵌合される。上部に位置する耳片部２２Ａ、２３Ａの孔２５は、図４Ａに示すように、孔２７の径よりも小さく、ボス１９、２０のネジ孔１９Ａ、２０Ａの径よりも大きい。
【００１６】
すなわち、図１を参照し、蛍光表示管カバー３の上にシールドプレート５を重ねる際には、下部の耳片部２２Ｂ、２３Ｂの孔２７に、ボス１９、２０の外周を嵌合させる。シールドプレート５を、更に押し込むと、図３Ｂに示すように、ボス１９、２０の先端面に、上部に位置する耳片部２２Ａ、２３Ａが当たる。
耳片部２２Ａ、２３Ａの孔２５の径の中に、ボス１９、２０のネジ孔１９Ａ、２０Ａが露出する。耳片部２２Ａ、２３Ａの上に基板９が重ね合され、上記ネジ孔１９Ａ、２０Ａにビス６がねじ込まれて、シールドプレート５と、基板９とが、ボス１９、２０に位置決めされた状態で一体的に固定される。
本構成では、小さな孔２５、大きな孔２７、およびボス１９、２０のネジ孔１９Ａ、２０Ａが、相互に同心円とされている。
【００１７】
本実施の形態では、シールドプレート５を固定する際、図１に示すように、表示窓１Ａの周辺部のリブ枠１６上に、蛍光表示管カバー３が配置される。
ついで、シールドプレート５の下部の耳片部２２Ｂ、２３Ｂの孔２７に、ボス１９、２０の外周を嵌合させることで、シールドプレート５が位置決めされる。これによって、シールドプレート５は、ボス１９、２０により位置決めされ、シールドプレート５が水平面内で回転することがない。
上部に位置する耳片部２２Ａ、２３Ａが、ボス１９、２０の先端面に当たるまで、シールドプレート５が押し込まれる。このときには、シールドプレート５の枠部５Ｂが、蛍光表示管カバー３に当たる。シールドプレート５の起立部５Ｃの高さは、耳片部２２Ａ、２３Ａが、ボス１９、２０の先端面に当たったとき、枠部５Ｂが、蛍光表示管カバー３に当たる高さに設定される。
耳片部２２Ａ、２３Ａが、ボスの先端面に当たった状態で、シールドプレート５の枠部５Ｂが４本のビス３０で固定される。
【００１８】
シールドプレート５が位置決めされ、水平面内で回転しないため、シールドプレート５の前縁５Ｘが位置決めされる。したがって、シールドプレート５のピン孔５Ｍと、ピン１８とが整合し、このピン１８に、ピン孔５Ｍを容易に嵌合できる。仮に、ピン１８と、ピン孔５Ｍが嵌合しない場合には、シールドプレート５の前縁５Ｘが、ピン１８に乗り上げて、シールドプレート５の前縁５Ｘが浮いた状態で、シールドプレート５の枠部５Ｂが４本のビス３０で固定される。このとき、ピン１８に損傷を与える可能性がある。
本構成では、下部の耳片部２２Ｂ、２３Ｂを備えるため、シールドプレート５の前縁５Ｘを、容易に位置決めでき、ピン１８の損傷等を防止できる。
【００１９】
本実施形態では、シールドプレート５の位置決めの精度は、耳片部２２Ｂ、２３Ｂの孔２７と、ボス１９、２０とのギャップの大きさで決まり、このギャップは可能な限り小さく設定することが望ましい。
本実施形態では、ボス１９、２０により位置決めされた、エスカッション１の上部に位置する耳片部２２Ａ、２３Ａと、エスカッション１のリブ１５（図１参照。）の高さが略等しく形成されている。したがって、基板９は、エスカッション１の裏面に無理なく重ね合わせることができる。
【００２０】
本実施形態では、基板９とシールドプレート５とが、エスカッション１にビス６によって、一体的に共締めされる。したがって、基板９とシールドプレート５を、エスカッション１に別々に固定する場合と比べて、基板９とシールドプレート５にむやみにねじ穴を増やす手間、ひいては工事費用が省ける。
また、一本のねじでエスカッション１とシールドプレート５と基板９の三部材を固定できるため、組立作業も容易になる。
【符号の説明】
【００２１】
１  エスカッション
１Ａ  表示窓
３  蛍光表示管カバー
５  シールドプレート
５Ｂ  枠部
５Ｃ  起立部
５Ｍ  ピン孔
５Ｘ  前縁
７  蛍光表示管
９  基板
１７（１７Ａ〜１７Ｄ）  ネジ孔
１８  ピン
１９、２０  ボス
１９Ａ、２０Ａ  ネジ孔
２２、２３  耳片
２２Ａ、２３Ａ  耳片部
２２Ｂ、２３Ｂ  耳片部
２５  小さな孔（取り付け孔）
２７  大きな孔（位置決め孔）
【図１】
2015138814.tif 000003
【図２】
2015138814.tif 000004
【図３】
2015138814.tif 000005
【図４】
2015138814.tif 000006